(57)【要約】【課題】資料の印刷等を行った者を特定可能として、情報漏洩を抑止する画像処理システムを提供する。【解決手段】本発明の画像処理システムは、文書画像を形成する手段と、ユーザ名及びコンピュータ名を含むスタンプマーク画像を形成する手段と、形成した文書画像とスタンプマーク画像とを合成する手段と、を備える。好適には、スタンプマーク画像を形成する際、文書画像が形成される領域を取得して、当該領域内に収まるように、スタンプマーク画像の位置及び大きさを決定する。【選択図】図５
2008263659.tif 000002
【特許請求の範囲】
【請求項１】
文書画像を形成する文書画像形成手段と、
ユーザ名及びコンピュータ名を含むスタンプマーク画像を形成するスタンプマーク形成手段と、
前記文書画像形成手段により形成した文書画像と、前記スタンプマーク形成手段により形成したスタンプマーク画像とを合成する合成手段と、
を備える画像処理システム。
【請求項２】
前記スタンプマーク形成手段は、
文書画像が形成される領域を取得して、前記領域内に収まるように、前記スタンプマーク画像の位置及び大きさを決定する、
請求項１に記載の画像処理システム。
【請求項３】
前記合成手段により合成された画像に基づいて印刷を実行する印刷装置をさらに備える請求項１又は２に記載の画像処理システム。
【請求項４】
ユーザ名及びコンピュータ名を記憶する記憶手段をさらに備え、
前記スタンプマーク形成手段は、前記記憶手段からユーザ名及びコンピュータ名を取得してスタンプマーク画像を形成する、
請求項１乃至３のいずれかに記載の画像処理システム。
【請求項５】
文書画像を形成する文書画像形成ステップと、
ユーザ名及びコンピュータ名を含むスタンプマーク画像を形成するスタンプマーク形成ステップと、
前記文書画像形成ステップにおいて形成された文書画像と、前記スタンプマーク形成ステップにおいて形成されたスタンプマーク画像とを合成する合成ステップと、
を備える画像処理方法。
【請求項６】
請求項５に記載の画像処理方法をコンピュータに実行させるためのプログラム。
【請求項７】
請求項５に記載の画像処理方法をコンピュータに実行させるためのプログラムを含むプリンタドライバ。
【請求項８】
請求項６に記載のプログラムを記録したコンピュータ読み取り可能な記録媒体。
【発明の詳細な説明】
【技術分野】
【０００１】
本発明は、文書画像情報と付加情報とを合成編集する画像処理システムに関するものである。
【背景技術】
【０００２】
近年、個人情報保護やセキュリティの確保が、コンピュータシステム及び印刷システムでも必須となっている。このようなセキュリティに配慮した印刷システムとして、文書画像情報を印刷する際に、出力紙の所定位置に「コピー禁止」、「参考資料」等、資料の位置付けに関する付加情報を同時に印刷して、その資料を受け取る者に対して注意喚起を促すものが知られている（特許文献１）。
【特許文献１】特許第２７８３２８２号公報
【発明の開示】
【発明が解決しようとする課題】
【０００３】
ところで、出力紙に「コピー禁止」等と印刷しておけば、当該資料が不正にコピーされて第三者の手に渡る危険性を抑制することはできる。しかしながら、不正を完全に防止することはできないし、仮に第三者の手に渡ってしまった場合、どこから資料が漏洩したのかを特定することが難しいので、有効な対策を施すことも困難である。
【０００４】
本発明は、かかる実情に鑑み、資料の印刷等を行った者を特定可能として、情報漏洩を抑止する画像処理システムを提供しようとするものである。
【課題を解決するための手段】
【０００５】
上記課題を解決するため、本発明の画像処理システムは、文書画像を形成する文書画像形成手段と、ユーザ名及びコンピュータ名を含むスタンプマーク画像を形成するスタンプマーク形成手段と、文書画像形成手段により形成した文書画像と、スタンプマーク形成手段により形成したスタンプマーク画像とを合成する合成手段と、を備える。かかる発明によれば、ユーザ名及びコンピュータ名をスタンプマークとして出力結果に埋め込むことができるので、仮に資料が漏洩しても、誰が印刷出力した資料が漏洩したのかを簡単に特定できる。そのため、情報漏洩の抑止力となることが期待できる。
【０００６】
好適には、スタンプマーク形成手段は、文書画像が形成される領域を取得して、領域内に収まるように、スタンプマーク画像の位置及び大きさを決定する。かかる発明によれば、本文に重なる位置及び大きさで、ユーザ名及びコンピュータ名を埋め込むことができる。従来のヘッダ又はフッタに出力するのとは異なり、出力結果のほぼ全域にユーザ名及びコンピュータ名を含むスタンプマークを出力できるため、出力結果からスタンプマークを削除することが実質的に不可能となり、セキュリティがさらに向上する。
【０００７】
好適には、画像処理システムは、合成手段により合成された画像に基づいて印刷を実行する印刷装置をさらに備える。かかる発明によれば、スタンプマークとしてユーザ名及びコンピュータ名を印刷結果に印刷するので、資料の印刷を行ったものを簡単に特定することができ、情報漏洩を抑えることが期待できる。
【０００８】
好適には、ユーザ名及びコンピュータ名を記憶する記憶手段をさらに備え、スタンプマーク形成手段は、記憶手段からユーザ名及びコンピュータ名を取得してスタンプマーク画像を形成する。また、好適には、スタンプマーク画像を形成する位置及び大きさに関する設定情報を記憶する記憶手段をさらに備え、スタンプマーク形成手段は、記憶手段に記憶された設定情報に基づいて、スタンプマーク画像の位置及び大きさを決定する。
【０００９】
また、本発明の画像処理方法は、文書画像を形成する文書画像形成ステップと、ユーザ名及びコンピュータ名を含むスタンプマーク画像を形成するスタンプマーク形成ステップと、文書画像形成ステップにおいて形成された文書画像と、スタンプマーク形成ステップにおいて形成されたスタンプマーク画像とを合成する合成ステップと、を備える。かかる発明によれば、ユーザ名及びコンピュータ名をスタンプマークとして出力結果に埋め込むことができるので、仮に資料が漏洩しても、誰が印刷出力した資料が漏洩したのかを簡単に特定できる。
【００１０】
本発明のプログラムは、本発明の画像処理方法の各ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１１】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【００１２】
なお、本明細書等において、「スタンプマーク」とは、印刷するページに、選択したテキストやビットマップを重ねて印字することを意味する。また、「透かし」印刷とは、プリンタから印刷した原本と、コピー機でコピーしたものを区別するために、原本をコピーすると文字が浮き上がるようなパターンを、用紙に印刷することを意味する。透かし印刷の場合、一見、印刷物は背景が単なる網掛けに見える。
【発明を実施するための最良の形態】
【００１３】
以下、本画像処理システムの実施の形態について図面を参照しつつ説明する。
【００１４】
図１は、本実施形態に係る画像処理システムの概略構成を示す図である。図１に示すように、本画像処理システム１００は、サーバ・コンピュータ１０とユーザ端末装置２０と画像形成装置３０とを備え、これらがＬＡＮ等のネットワーク４０を介して相互に接続されることにより構成される。
【００１５】
サーバ・コンピュータ１０は、ユーザのログイン情報を管理する認証サーバとしての機能と、画像形成装置３０に出力する情報を管理するプリンタサーバとしての機能とを有する。
【００１６】
ユーザ端末装置２０は、画像形成装置３０のホストコンピュータとしての機能を有する。ユーザがアプリケーション・ソフトウェア等を使用して作成した文書や、デジタルスチルカメラで撮像した画像等について、画像形成装置３０への出力を指示するためのコンピュータである。
【００１７】
画像形成装置３０は、ユーザ端末装置２０から送信された画像データに基づいて、出力画像を形成し、媒体上に印刷等を行う装置である。このような画像形成装置３０としては、公知のプリンタ、ファクシミリ装置、複写機等を用いることができる。
【００１８】
ネットワーク４０は、サーバ・コンピュータ１０とユーザ端末装置２０と画像形成装置３０との間で情報を送受信するための通信回線である。例えば、ＬＡＮ、インターネット、専用線、パケット通信網、電話回線、企業内ネットワーク、その他の通信回線、それらの組み合わせ等のいずれであってもよく、有線であるか無線であるかを問わない。
【００１９】
図２はサーバ・コンピュータ１０及びユーザ端末装置２０の装置構成の概略を示すブロック図である。サーバ・コンピュータ１０及びユーザ端末装置２０はそれぞれ、ＣＰＵ１１０、ＲＯＭやＲＡＭ等のメモリ１２０、各種の情報を格納する外部記憶装置１３０、入力インタフェース１４０、出力インタフェース１５０、通信インタフェース１６０及びこれらを結ぶバス１７０を備える汎用のコンピュータを適用することができる。
【００２０】
なお、サーバ・コンピュータ１０は、単一のコンピュータより構成されるものであっても、ネットワーク上に分散した複数のコンピュータより構成されるものであってもよい。つまり、単一のコンピュータが複数のサーバ機能を備えてもよいし、複数のコンピュータに分散してサーバ機能を提供してもよい。プリンタサーバの機能は画像形成装置３０に備えてもよい。サーバ・コンピュータ１０は、ＣＰＵが、メモリまたは外部記憶装置などに記憶された所定のプログラムを実行することにより、各種機能実現手段として、サーバ・コンピュータ１０を機能させる。
【００２１】
図３は、本実施形態のユーザ端末装置２０の機能構成を示す図である。ユーザ端末装置２０は、本実施形態における主な構成として、ネットワーク４０と接続され、サーバ・コンピュータ１０及び画像形成装置３０との間でデータ通信を行うための通信手段２１０と、ユーザ端末装置２０の動作全体を制御する制御手段２２０と、各種情報を記憶するための記憶手段２３０とを備える。さらに、制御手段２２０は、文書画像形成手段２２２と、スタンプマーク形成手段２２４と、合成手段２２６と、送出手段２２８とを備える。
【００２２】
通信手段２１０は、ネットワーク４０を介してサーバ・コンピュータ１０及び画像形成装置３０に対して情報を入出力可能に構成されており、例えばＰＰＰドライバ、ＴＣＰ／ＩＰドライバ等の通信モジュールを備えている。
【００２３】
記憶手段２３０は、ユーザのログインアカウント名（以下「ユーザ名」という）と、ユーザ端末装置２０を画像処理システム１００内で一意に特定する名称（以下「コンピュータ名」という）を記憶する。なお、ユーザ名は、ログイン時にユーザが入力したユーザ名を取得して、記憶手段２３０に格納すればよい。さらに、スタンプマーク印刷の設定情報を記憶する。
【００２４】
文書画像形成手段２２２は、図示しない入力手段等からの出力指示を受けて、アプリケーション・ソフトウェア等を使用して作成された文書等に基づいて画像形成装置３０へ出力可能な形式の文書画像を形成する機能を有する。スタンプマーク形成手段２２４は、文書画像に埋め込むためのスタンプマーク又は透かしを形成する機能を有する。本実施形態では、ユーザ名及びコンピュータ名を、スタンプマークとして使用する。
【００２５】
合成手段２２６は、文書画像形成手段２２２により形成された文書画像と、スタンプマーク形成手段２２４により形成されたスタンプマークとを合成して、一の出力画像データを形成する機能を有する。送出手段２２８は、合成手段２２６により形成された出力画像データを、サーバ・コンピュータ１０を介して、又は直接、画像形成装置３０に送出する機能を有する。なお、好ましくは、文書画像形成手段２２２、スタンプマーク形成手段２２４、合成手段２２６、及び送出手段２２８は、プリンタドライバがこれら各機能手段を備えるよう構成するとよい。
【００２６】
図４は、本画像処理システム１００の処理の流れを示すフローチャートである。なお、各処理ステップは処理内容に矛盾を生じない範囲で任意に順番を変更して又は並列に実行することができる。
【００２７】
まず、ユーザはユーザ端末装置２０から、サーバ・コンピュータ１０にユーザ名及びパスワードを入力して、画像処理システム１００にログインする（Ｓ４１０）。このとき、制御手段２２０は入力されたユーザ名を記憶手段２３０に格納する。
【００２８】
その後、ユーザがユーザ端末装置２０の図示しない入力手段を使用して、所望の文書等を印刷するよう指示入力する（Ｓ４２０）。ユーザ端末装置２０が指示入力を受け付けると、文書画像形成手段２２２は、印刷を行う文書等を基にして、画像形成装置３０へ出力可能なデータ形式の文書画像を形成する（Ｓ４３０）。さらに、スタンプマーク形成手段２２４が、記憶手段２３０からユーザ名及びコンピュータ名を取得して、当該ユーザ名及びコンピュータ名を含むスタンプマーク画像を形成する（Ｓ４４０）。
【００２９】
次に、合成手段２２６は、文書画像形成手段２２２の形成した文書画像と、スタンプマーク形成手段２２４の形成したスタンプマーク画像とを合成して、文書画像にユーザ名及びコンピュータ名がスタンプマークとして埋め込まれた出力画像データを生成する（Ｓ４５０）。生成された出力画像データは、送出手段２２８によって、サーバ・コンピュータ１０を介して、又は直接、画像形成装置３０に送信される。なお、ここでは、サーバ・コンピュータ１０はプリンタサーバとして機能する。画像形成装置３０は、受信した出力画像データに基づいて、印刷媒体上に印刷出力する（Ｓ４６０）。
【００３０】
図５は、画像形成装置３０による印刷出力結果の一例である。５１０は、文書画像形成手段２２２により形成される文書画像の例である。５２０は、スタンプマーク形成手段２２４により形成されるスタンプマーク画像の例である。合成手段２２６により、５１０と５２０が合成され、出力画像５３０が形成される。そして、出力画像５３０に基づいて、画像形成装置３０は、ユーザ名及びコンピュータ名のスタンプマークが埋め込まれた文書を用紙に印刷する。
【００３１】
図６は、ユーザ端末装置２０に表示されるスタンプマーク印刷の設定画面の例である。スタンプマーク設定画面を用いて、スタンプマークの種類、色、濃度、フォント、配置位置、角度等を設定することができる。本実施形態においては、画像処理システム１００のシステム管理人のみが当該設定を行うことができ、一般ユーザは設定できないものとする。このような設定は、ＯＳが提供するアクセス権限機能を利用して実現可能である。
【００３２】
スタンプマーク形成手段２２４は、記憶手段２３０に記憶された設定情報に基づいて、スタンプマークを形成する。しかし、予め設定された角度で用紙のほぼ全面にスタンプマークが入るよう、スタンプマークの文字の大きさを出力指示のたびに決定してもよい。例えば、記憶手段２３０から取得したユーザ名及びコンピュータ名に基づいて、スタンプマークの文字数を取得する。そして、当該文字数の文字列が用紙内に収まるよう、スタンプマーク文字の大きさを決定する。
【００３３】
こうして、スタンプマークとして、ユーザ名及びコンピュータ名を印刷結果のほぼ全域に印刷することができる。ヘッダやフッタにユーザ名等を印字するのとは異なり、印刷結果のほぼ全面に印刷されるため、印刷結果からユーザ名等を削除することは実質的に不可能である。したがって、仮に、出力結果が漏洩して第三者の手に渡ったとしても、どのユーザが印刷したものが漏洩したのかを、スタンプマークを用いて特定できる。
【実施例１】
【００３４】
上述の実施形態では、印刷する用紙の全域を覆うように、スタンプマークの大きさを調整したが、これに換えて、文書が書かれている領域に限定して、その領域内に収まるように、スタンプマークの大きさを調整してもよい。
【００３５】
図７は、本実施例における印刷出力結果の一例である。７１０は、文書画像形成手段２２２により形成される文書画像の例である。本実施例では、図示のとおり、用紙上方にのみ文書が書かれているものとする。７２０は、スタンプマーク形成手段２２４により形成されるスタンプマーク画像の例である。スタンプマーク形成手段２２４は、受信した画像データに基づいて、出力するページ毎に、出力画像が存在する領域を識別し、当該領域の外縁部を切り出す処理を行う（図７の一点鎖線）。そして、当該外縁部の範囲内に収まる大きさになるよう調整処理してスタンプマーク画像を形成する。好ましくは、当該領域の大きさと、ユーザ名及びコンピュータ名の文字数とに基づいて、可能な限り大きなサイズの文字で領域内に収まるよう、スタンプマークの文字の大きさと配置角度を調整する。また、記憶手段２３０に記憶された設定情報に基づいて、スタンプマークを形成してもよい。そして、合成手段２２６により、７１０と７２０が合成され、画像形成装置３０によって、ユーザ名及びコンピュータ名のスタンプマークが埋め込まれた画像７３０が印刷媒体上に印刷される。
【００３６】
こうして、文書に重なる位置に、確実にスタンプマークを印刷することができる。印刷後にスタンプマークを削除しようとしても実質的に不可能であるため、情報の漏洩を抑えることが期待できる。
【実施例２】
【００３７】
上述の実施形態では、スタンプマークとして、ユーザ名及びコンピュータ名を文書画像に埋め込むものとしたが、ユーザ名のみ又はコンピュータ名のみをスタンプマークとして埋め込んでもよい。ユーザ名及び／又はコンピュータ名を透かしとして文書画像に埋め込んで印刷出力してもよい。
【００３８】
また、上述の実施形態では、スタンプマークを形成するユーザ名として、ログインアカウント名を援用しているが、ユーザ毎に定められたニックネームを使用してもよい。また、必要に応じて部署名や、電話番号又はメールアドレス等の連絡先を付加してもよい。他にも、画像形成装置３０に対して画像データの印字要求を出すユーザ端末装置２０に問い合わせることにより取得可能な情報であれば、スタンプマーク等に用いることができる。
【００３９】
ユーザ名及び／又はコンピュータ名をスタンプマークや透かしとするのみならず、印刷日時をスタンプマーク等としてもよい。また、「重要」、「持出禁止」、「ドラフト」等の文字列を記憶手段２３０に予め用意しておき、ユーザが記憶手段２３０に記憶された文字列から所望の文字列を選択して、当該選択された文字列をスタンプマークや透かしとしてもよい。
【００４０】
これにより、印刷しようとする文書に応じて適切なスタンプマークや透かしを埋め込むことができるため、印刷物のセキュリティをより確実にすることができる。
【実施例３】
【００４１】
上述の実施形態では、スタンプマークや透かしの設定権限を、システム管理者のみが有するものとしたが、これに限らず、一般ユーザに権限を与え、スタンプマークや透かしの設定を可能としてもよい。一般ユーザが設定する場合には、スタンプマークの位置と大きさを任意に決定できるものとしてもよい。この場合、文書の存在する領域とは無関係に、ユーザの設定した位置と大きさでスタンプマークが埋め込まれるものとする。
【００４２】
こうして、スタンプマークの設定を一般ユーザに許可しない場合は、文書に重なる位置及び大きさでスタンプマーク画像を形成し、一般ユーザにスタンプマーク設定が許可される場合は、ユーザが設定した位置及び大きさでスタンプマーク画像を形成することができる。これにより、システム管理者等のセキュリティ・ポリシーに応じて、柔軟且つ木目細かくスタンプマークや透かしの印刷出力を制御できるようになる。
【実施例４】
【００４３】
文書の種類に応じて、スタンプマークを変更するものとしてもよい。すなわち、スタンプマーク形成手段２２４は、印刷しようとする文書のファイル名を取得して、ファイルの拡張子に基づいて、形成するスタンプマークを変更する。例えば、ワープロ文書を印刷するときには、ユーザ名及びコンピュータ名をスタンプマークとして埋め込み、プレゼン資料を印刷するときには、ユーザ名及びコンピュータ名を透かしとして埋め込むものとすることも可能である。
【００４４】
また、印刷しようとする文書の作成者と印刷を指示したユーザとが異なる場合に、スタンプマークや透かしを埋め込んで文書を印刷するものとしてもよい。これにより、印刷しようとする文書の種類や作成者等のプロファイルに基づいて、さらに木目細かくスタンプマークや透かしの印刷出力を制御できるようになる。
【００４５】
なお、本発明の画像処理システムは、上記した実施の形態に限定されるものではなく、本発明の要旨を逸脱しない範囲内において種々変更を加え得るものである。
【図面の簡単な説明】
【００４６】
【図１】画像処理システムの概略構成を示す図である。
【図２】サーバ・コンピュータ１０等の装置構成を示すブロック図である。
【図３】ユーザ端末装置２０１０の機能構成を示す図である。
【図４】画像処理システム１００の処理の流れを示すフローチャートである。
【図５】画像形成装置３０による印刷出力結果の一例である。
【図６】スタンプマーク印刷の設定画面の例である。
【図７】画像形成装置３０による印刷出力結果の一例である。
【符号の説明】
【００４７】
１０  サーバ・コンピュータ、
２０  ユーザ端末装置、
３０  画像形成装置、
４０  ネットワーク。
【図１】
2008263659.tif 000003
【図２】
2008263659.tif 000004
【図３】
2008263659.tif 000005
【図４】
2008263659.tif 000006
【図５】
2008263659.tif 000007
【図６】
2008263659.tif 000008
【図７】
2008263659.tif 000009